【事件の表示】
　特願２０００−　６５９４９「カラオケシステム」拒絶査定に対する審判事件［平成１２年１１月　７日出願公開、特開２０００−３１０９９１］について、次のとおり審決する。
【結　論】
　本件審判の請求は、成り立たない。
【理　由】
１．手続きの経緯・本願発明
　本願は、平成５年３月１１日に出願した特願平５−７７６３７号の一部を平成１２年３月１０日に新たな特許出願としたものであって、「カラオケシステム」（請求項の数４）に係る発明であるところ、平成１５年４月２１日付けの手続補正書により補正された明細書及び図面の記載からみて、その特許請求の範囲の請求項１に記載された発明（以下、「本願発明」という。）は、次のとおりのものである。
　
「【請求項１】　指定された演奏曲を再生するための楽音情報、背景画像及び歌詞画像を含む第１の曲データを記憶する第１の記憶手段；及び
　選曲指示に従って指定された演奏曲に対応する前記第１の曲データを前記第１の記憶手段から読み出し再生して音声信号及び映像信号を出力する第１の再生手段
を備えたカラオケ装置と、
　指定された演奏曲を再生するための楽音情報及び歌詞画像を含む第２の曲データを記憶する第２の記憶手段；
　選曲指示に従って指定された演奏曲に対応する前記第２の曲データを前記第２の記憶手段から読み出し再生して音声信号及び映像信号を出力する第２の再生手段；及び
　選曲指示を受け付けると共に、前記指定された演奏曲が前記第１の記憶手段に記憶されているかどうかを確認し、前記指定された演奏曲が前記第１の記憶手段に記憶されている場合には前記カラオケ装置に選曲指示を出力し、前記第１の再生手段で再生された音声信号及び映像信号を入力すると共に出力し、前記指定された演奏曲が前記第１の記憶手段に記憶されていない場合には前記指定された演奏曲が前記第２の記憶手段に記憶されているか確認し、前記指定された演奏曲が前記第２の記憶手段に記憶されている場合には前記第２の再生手段で再生された音声信号及び映像信号を出力する入出力制御手段
を備えたカラオケ制御手段と、
　このカラオケ制御手段から出力された音声信号を入力して音声を出力する音声出力手段と、
　前記カラオケ制御手段から出力された映像信号を入力して映像を出力する映像出力手段と、
　を備えてなることを特徴とするカラオケシステム。」
　
２．引用例
　これに対して、原査定の拒絶理由で引用された特開平２−２２０５５１号公報（発明の名称「カラオケシステム」。以下、「引用例１」という。）、特開平５−６１８９号公報（発明の名称「電子音楽再生装置」。以下、「引用例２」という。）には、次のとおりのことが記載されている。
　
　引用例１について
（ａ）「第１図において、１は半導体のＲＯＭで・・・（中略）・・・カラオケデータをおよそ２０００曲分入力できる。上記カラオケデータは、リクエストが予想されるカラオケ曲をＭＩＤＩ規格に基づいてデジタル符号（コード）化した楽曲情報と、歌詞を文字表示するようにした歌詞情報と、曲名、歌手、作曲者、作詞者等をキーワードとし、また固有の記号を識別コードとした検索情報とで構成したものである。２は約３０曲の範囲内で上記カラオケデータを随時、書き込み或いは読み出し可能な半導体のＲＡＭ・・・（中略）・・・。
　また４は上記ＲＯＭ１及びＲＡＭ２から希望するカラオケデータを読み出すメモリ検索装置、５は上記メモリ検索装置をコントロールするＣＰＵで、検索された１〜複数曲分のカラオケデータを処理するものである。・・・（中略）・・・
　更に８は希望するカラオケ曲を検索するための条件（識別コード、キーワード等）を入力するキーボード等の入力装置、９はカラオケデータの歌詞情報等を文字表示するディスプレイ、１０は再生装置であって、シーケンサ１１によってＣＰＵ５に入力されたカラオケデータの内、楽曲情報（ＭＩＤＩ信号）をシンセサイザ等の電子楽器１２に出力し、このシンセサイザからアナログ信号として出力される楽曲情報をアンプ１３で増幅した上、スピーカ１４によりカラオケ曲として再生する。」（第２頁右下欄１２行〜第３頁右上欄１２行）
（ｂ）「カラオケシステムの動作を第２図に示したフローチャートに基づいて述べると、キーボード８でリクエスト曲の検索条件、例えば予め全カラオケ曲に付された記号からなる識別コードを入力すれば、ＣＰＵ５がメモリ検索装置４をコントロールしてＲＯＭ１を検索し、その中から上記識別コードを見つけた場合（YES）は、この識別コードの付されたカラオケデータ全体を取り出してＣＰＵ５で処理する。その内、歌詞情報についてはディスプレイ９に文字で表示する。他方、楽曲情報はＭＩＤＩ信号としてプログラムされた通りにシーケンサ１１によってシンセサイザ１２に出力し、ここでアナログ信号に変換された後、アンプ１３に出力して増幅し、更にスピーカ１４を通してカラオケ曲として再生される。
　ところで上記ＣＰＵ５に入力された識別コードがＲＯＭ１にない場合（NO）は、ＲＡＭ２を検索し、ここで上記識別コードで見つけた場合（YES）は、上述した動作で文字情報及び楽曲情報をそれぞれ表示・再生する。
　また上記識別コードがＲＯＭ及びＲＡＭ双方のメモリにないと判断した場合は、ＣＰＵ５が直ちに公衆回線７を通じてホスト・コンピュータのデータベースを検索して上記識別コードの付されたカラオケデータをＣＰＵ５に伝送する。この伝送されたカラオケデータは、ＲＡＭ２に書き込まれてセーブされる一方、上述した動作で歌詞がディスプレイ９に表示され、また曲がスピーカ１４より再生される。」（第３頁右上欄１３行〜同頁右下欄１行）
　
　引用例２について
（ｃ）「第１の記憶手段に記憶された演奏データが出力手段により読みだされ、音声あるいは画像として出力される。毎月のように追加される新曲の演奏情報は追記可能な第２の記憶手段に順次追加収納される。・・・（中略）・・・図１はその構成を示すブロック図である。
　このカラオケ装置全体の動作制御を行う制御部２には、再生開始及びその停止などを操作指示するための入力装置１と、複数曲分の楽音情報及び画像情報が記憶されたＣＤ−ＲＯＭ４と、ハードデイスク５とが接続されている。ＣＤ−ＲＯＭ４は追記ができない安価で大容量のものであり、ハードデイスク５は追記可能なものである。制御部２の動作プログラムは、プログラムメモリ３内に格納されている。
　更に制御部２には、ＣＤ−ＲＯＭ４から読みだした楽音情報を音楽信号に変換するための音楽再生手段としてのＭＩＤＩインターフェース回路６とＭＩＤＩ音源部１１とが接続されている。ＭＩＤＩ音源部１１には、ミキシングアンプ７とスピーカ８とが接続されており、ＭＩＤＩ音源部１１からの音楽情報をミキシングアンプ７で増幅して、スピーカ８から出力するようにしている。
　また、制御部２には、ＣＤ−ＲＯＭ４から読みだした画像情報を映像信号に変換するための映像再生装置９が接続されている。この映像再生装置９にはモニタ１０が接続されており、映像再生装置９からの画像情報がモニタ１０で表示される。」（段落【０００８】〜【００１３】）
　
３．対比
　本願発明と引用例１に記載された発明とを対比すると、次のことがいえる。
（ア）引用例１における記載である上記(ａ)には「ＲＯＭ１は楽曲情報、歌詞情報及び検索情報を含んだカラオケデータをおよそ２０００曲分」及び「ＲＯＭ２は上記カラオケデータを約３０曲の範囲内」のデータが記憶可能な旨の記載があるように、「ＲＯＭ１」は、本願発明の「指定された演奏曲を再生するための楽音情報、歌詞画像を含む第１の曲データに記憶する第１の記憶手段」に対応し、同様に「ＲＯＭ２」は、本願発明の「指定された演奏曲を再生するための楽音情報、歌詞画像を含む第２の曲データに記憶する第２の記憶手段」に対応する。
　しかしながら、本願発明の「第１の記憶手段」に記憶された曲データは「背景画像」を含んでいるが、引用例１の「ＲＯＭ１」に記憶されたカラオケデータは「背景画像」を含んでいない。また、本願発明の「第１の記憶手段」及び「第２の記憶手段」はそれぞれ「カラオケ装置」及び「カラオケ制御手段」の構成の一部というように別々に構成されているが、引用例１の「ＲＯＭ１」及び「ＲＯＭ２」については特にそのような記載がない。
　
（イ）上記(ａ)の記載「４は上記ＲＯＭ１及びＲＡＭ２から希望するカラオケデータを読み出すメモリ検索装置、５は上記メモリ検索装置をコントロールするＣＰＵで、検索された１〜複数曲分のカラオケデータを処理するものである。」により、引用例１に記載された「メモリ検索装置４」と「ＣＰＵ５」とで、本願発明の「選曲指示に従って指定された演奏曲に対応する第１の曲データを第１の記憶手段から読み出し再生して音声信号及び画像信号を出力する第１の再生手段」及び「選曲指示に従って指定された演奏曲に対応する第２の曲データを第２の記憶手段から読み出し再生して音声信号及び画像信号を出力する第２の再生手段」に対応するものといえる。
　しかしながら、引用例１には、本願発明のように「第１の再生装置」は「カラオケ装置」の構成の一部、「第２の再生手段」は「カラオケ制御手段」の構成の一部というように別々に構成されている旨の記載はない。
　また、再生手段から、本願発明は「映像」信号を出力するのに対して、引用例１は「（歌詞）画像」信号を出力するものである。（下記(ウ)ないし(エ)でも同様なことがいえる。）
　
（ウ）上記(ｂ)の記載「識別コードを入力すれば、ＣＰＵ５がメモリ検索装置４をコントロールしてＲＯＭ１を検索し、その中から上記識別コードを見つけた場合（YES）は、この識別コードの付されたカラオケデータ全体を取り出してＣＰＵ５で処理する。」及び「ＣＰＵ５に入力された識別コードがＲＯＭ１にない場合（NO）は、ＲＡＭ２を検索し、ここで上記識別コードで見つけた場合（YES）は、上述した動作で文字情報及び楽曲情報をそれぞれ表示・再生する。」により、引用例１の「ＣＰＵ５」は、本願発明の「選曲指示を受け付けると共に、指定された演奏曲が第１の記憶手段に記憶されているかどうかを確認し、前記指定された演奏曲が前記第１の記憶手段に記憶されている場合には選曲指示を出力し、第１の再生手段で再生された音声信号及び画像信号を入力すると共に出力し、前記指定された演奏曲が前記第１の記憶手段に記憶されていない場合には前記指定された演奏曲が第２の記憶手段に記憶されているか確認し、前記指定された演奏曲が前記第２の記憶手段に記憶されている場合には前記第２の再生手段で再生された音声信号及び画像信号を出力する入出力制御手段」に対応するものといえる。
　
（エ）上記(ａ)及び(ｂ)の記載から、引用例１の「再生装置１０」が本願発明の「音声出力手段」に対応する。また、引用例１の「ディスプレイ９」は「画像出力手段」といえるから、一応本願発明の「映像出力手段」に対応するものである。
　
　以上の対比結果によれば、本願発明と引用例１に記載された発明とは次の点で一致する。
　「指定された演奏曲を再生するための楽音情報及び歌詞画像を含む第１の曲データを記憶する第１の記憶手段と、
　選曲指示に従って指定された演奏曲に対応する前記第１の曲データを前記第１の記憶手段から読み出し再生して音声信号及び画像信号を出力する第１の再生手段と、
　指定された演奏曲を再生するための楽音情報及び歌詞画像を含む第２の曲データを記憶する第２の記憶手段と、
　選曲指示に従って指定された演奏曲に対応する前記第２の曲データを前記第２の記憶手段から読み出し再生して音声信号及び画像信号を出力する第２の再生手段と、
　選曲指示を受け付けると共に、前記指定された演奏曲が前記第１の記憶手段に記憶されているかどうかを確認し、前記指定された演奏曲が前記第１の記憶手段に記憶されている場合には選曲指示を出力し、前記第１の再生手段で再生された音声信号及び画像信号を入力すると共に出力し、前記指定された演奏曲が前記第１の記憶手段に記憶されていない場合には前記指定された演奏曲が前記第２の記憶手段に記憶されているか確認し、前記指定された演奏曲が前記第２の記憶手段に記憶されている場合には前記第２の再生手段で再生された音声信号及び画像信号を出力する入出力制御手段を備えたカラオケ制御手段と、
　このカラオケ制御手段から出力された音声信号を入力して音声を出力する音声出力手段と、
　前記カラオケ制御手段から出力された画像信号を入力して画像を出力する画像出力手段と、
　を備えてなることを特徴とするカラオケシステム。」
　
　そして、以下の点で一応相違する。
（１）本願発明の「第１の記憶手段」に記憶されたデータには「背景画像」を含むのに対し、引用例１の「ＲＯＭ１」（本願発明の「第１の記憶手段」に対応。）に記憶されたデータには「背景画像」を含む記載がない点。そしてその結果、再生手段から出力される信号は、本願発明が「映像」であるのに対して、引用例１は「（歌詞）画像」である点。
（２）本願発明の「第１の記憶手段」及び「第１の再生手段」は「カラオケ装置」の構成要素であり、「第２の記憶手段」及び「第２の再生手段」は「カラオケ制御手段」の構成要素であるのに対し、引用例１の「ＲＯＭ１」（本願発明の「第１の記憶手段」に対応。）、「ＲＯＭ２」（本願発明の「第２の記憶手段」に対応。）、「メモリ検索装置４」及び「ＣＰＵ５」（本願発明の「第１の再生手段」、「第２の再生手段」に対応。）は、特に「カラオケ装置」や「カラオケ制御手段」に対応する区分けになっていない点。
　
４．当審の判断
　上記相違点（１）について検討する。
　記憶手段に画像情報を記憶し、この画像情報を再生装置にて映像信号に変換し、映像を出力することは、引用例２（上記(ｃ)の記載を参照。）に記載されているように周知である。ここで映像情報とは、一般に歌詞画像や背景画像を含んだものということができる。そうすると、カラオケシステムにおいて、記憶手段に背景画像及び歌詞画像を含む曲データを記憶し、再生装置にて記憶手段から映像信号を出力し、この出力された映像信号を映像出力手段に入力し、映像を映像出力手段に出力することは、当業者であれば必要に応じて適宜なし得ることであるから、引用例１の「ＲＯＭ１」に背景画像を付加してなる上記相違点（１）は格別顕著なことではない。
　
　上記相違点（２）について検討する。
　ＣＤ−ＲＯＭとハードディスクという異なる記憶手段にそれぞれデータを格納し再生することは、引用例２（上記(ｃ)の記載を参照。）に記載されている。ここで、異なる記憶手段に記憶されているデータは互いに異なるフォーマットであるから、それぞれの記憶手段に記憶されているデータを再生するために異なる再生機能も当然用意されているといえる。そして、前述したように記憶手段と対応する再生手段とを組み合わせて用いることからして、この組み合わせたものをそれぞれカラオケシステムのどの構成要素とまとめるかは、当業者であれば必要に応じて適宜設計し得ることであって格別の困難性は見い出すことはできない。
　したがって、引用例１記載の２つの記憶手段（ＲＯＭとＲＡＭ）の一方を他のフォーマットデータを記憶する記憶手段に代え、それぞれの記憶手段に再生手段を組み合わせて別々の構成要素とすることは、当業者であれば必要に応じて適宜なし得ることであるから、上記相違点（２）は格別顕著なことではない。
　
　以上のとおり、本願発明における上記相違点（１)ないし(２)は、いずれも当業者が容易に想到し得たといえるものであり、各相違点相互の関係を考慮しても想到困難な格別な事項は見い出せない。
　また、本願発明の効果についても、当業者が当然に予測し得る程度のものにすぎず、格別顕著なものがあるとはいえない。
　
５．むすび
　以上のとおり、本願発明は、引用例１及び２に記載された発明に基づいて当業者が容易に発明をすることができたものであるから、他の請求項２ないし４に係る発明について検討するまでもなく、本願は特許法第２９条第２項の規定により特許を受けることができない。
　よって、結論のとおり審決する。